(57)【要約】【課題】釘やボルト等をコンクリートやブロック等の支持体に打ち込んだり、コ字状のフックのように掛止部の長さを支持体の厚みに合わせて調整したりする必要がなく、掛止部を支持体の上に置くだけで鉢を水平に安定して保持できる鉢受けフックを提供する。【解決手段】背面側に吊下げ孔（３）を有する鉢（２）をブロック塀等の支持体（Ｓ）に係止して支持するための逆Ｌ字形の鉢受けフック（１０）は、支持体の上面に係止されたとき逆Ｌ字形状の前角部（１４）から後方に延びる掛止部（１５）と、前角部から下方に延びる保持部（１６）と、保持部の下端に形成され、吊下げ孔（３）に挿通して鉢（２）を保持する保持片（１８）とを備える。掛止部（１５）は、その後端に支持体（Ｓ）の上面（Ｓａ）に係止可能な係止爪（１３）を有する。【選択図】　図１
2004097678.tif 000002
【特許請求の範囲】
【請求項１】
背面側に吊下げ孔（３）を有する鉢（２）をブロック塀等の支持体（Ｓ）に係止して支持するための概略逆Ｌ字形の鉢受けフック（１０，２０，３０，４０，５０，６０）であって、
前記支持体（Ｓ）の上面に係止されたとき前記逆Ｌ字形状の前角部（１４，２４，３４，４４，５４，６４）から後方に延びる掛止部（１５，２５，３５，４５，５５，６５）と、
前記前角部から下方に延びる保持部（１６，２６，３６，４６，５６，６６）と、
前記保持部の下端に形成され、前記吊下げ孔（３）に挿通して前記鉢（２）を保持する保持片（１８，２８，３８，４８，５８，６８）とを備え、
前記掛止部は、その後端に前記支持体（Ｓ）の上面（Ｓａ）に係止可能な係止爪（１３，２３，３３，４３，５３，６３）を有することを特徴とする鉢受けフック。
【請求項２】
請求項１記載の鉢受けフックにおいて、前記係止爪（１３，２３，３３，５３，６３）は、その先端が斜面、円錐形、又は扁平な端面として形成されていることを特徴とする鉢受けフック。
【請求項３】
請求項１記載の鉢受けフックにおいて、前記係止爪（４３）は、前記掛止部の後端を覆う弾性材で形成されていることを特徴とする鉢受けフック。
【請求項４】
請求項１乃至３のいずれか記載の鉢受けフックにおいて、前記保持部（５６，６６）の下部は後方に屈曲形成されていることを特徴とする鉢受けフック。
【発明の詳細な説明】
【０００１】
【発明の属する技術分野】
本発明は、植木鉢等その他の鉢を壁面、ブロック塀、門柱等の支持体に掛け止めするために使用される鉢受けフックに関する。
【０００２】
【従来の技術】
壁面、ブロック塀、門柱等の支持体に、背面側に孔を有するウォールポットやハンギングバスケット等の鉢を掛け止めするときは、支持体に直接釘やボルト等を打ち込み、それに直接鉢の孔を引っ掛けるか或いは吊下げフックを介して、鉢を吊り下げるようにしている。或いは、門柱の回りを針金や紐等で縛り、その針金等にフックを引っ掛けて鉢を吊り下げることもある。
【０００３】
また、次のような鉢受けフックを用いて鉢を吊下げることも行われている。詳細には、図７乃至図９に示すように、従来の概略コ字形の鉢受けフック１は、背面側に吊下げ孔３を有する鉢２をフェンス等の支持体Ｓに掛け止めるための手段として用いられる。その構成は、支持体Ｓの上に掛け止めたとき前角部４から後方に延びる掛止部５と、前角部４から下方に延びる保持部６と、この保持部６の下端７から斜め上方に突出し、鉢２の孔３に通されて鉢２を保持する保持片８とを備えたものである。使用時には、鉢受けフック１の掛止部５を支持体Ｓの上面Ｓａに跨るように掛け止め、保持部６下端の保持片８を鉢２の孔３に通して鉢２を吊下げる。
【０００４】
【発明が解決しようとする課題】
しかしながら、上記のような従来の方法には、以下の問題点があった。まず、ブロックやコンクリート製のフェンス等の支持体に直接釘やボルト等を打ち込むことは支持体を傷付けると共に、それらの打ち込み作業は面倒で技術を要するため、採用し難い。また、一度打ち込まれた釘やボルト等は移動できないため、鉢を支持する位置が限定される。孔が２つある鉢を吊り下げる場合、釘やボルト等を２本打たなければならないことに加えて、それらの孔の位置が異なる鉢に対しては、同じ釘やボルト等は共用できないので、孔の位置が同一の鉢に限られてしまう。
【０００５】
また、門柱に鉢を吊り下げる場合は、門柱に釘やボルトを打ち込むか或いは門柱の周囲を針金や紐等で縛り、その中間部にフックを引っ掛ける。しかし、これらの作業は面倒な上、美観も劣る。また、鉢の重さで針金や紐等が緩みやすく、それによって鉢が前傾し、給水時には水や肥料、或いは土までも流出してしまうことがあった。
【０００６】
一方、図７に示した略コ字状のフック１を用いて鉢２を吊り下げる場合は、支持体Ｓの厚みに応じた幅すなわち掛止部５の長さを持つフック１が使用される。しかしながら、支持体の材料や形状、その表面に張り付けるタイル等の用品は多種多様化しているので、既存の支持体の厚みに適合するフックは限定されてしまい、汎用性がない。そのため、支持体Ｓの厚みに適合したフックがない場合、使用者は、手持ちのフックの幅を支持体Ｓの厚みに合わせて折り曲げる等の調整をすることが必要となる。しかし、上記のような鉢受けフックは、殆ど金属製であり、長さや間隔の調整のために人の手で折り曲げることは困難である。近年、このような鉢の吊下げを行う使用者は、女性のガーデニング愛好家であることが多く、敢えて鉢受けフックを変形するような作業は行い難い。
【０００７】
従って、一般には、図８に示すように、支持体Ｓの厚さより幅の大きいフック１を購入してそのまま使用しているが、この場合、破線で示すように、支持体Ｓの上面Ｓａに跨るように載置したフック１と支持体Ｓの背面或いは前面との間に隙間が生じ、フック１は支持体Ｓの上で移動可能となる。このため、フック１の下端に鉢２を吊り下げたとき、その重さで、フック１は斜め前に引っ張られて、実線で示すように前下がりに傾いた状態となる。その結果、鉢２も支持体Ｓの前面Ｓｂで前傾し、美観を損ねるばかりでなく、鉢２に植えた植物に給水する時に水や土あるいは肥料等が鉢２の外に流失し易いという問題があった。特に、支持体の前面に複数の鉢を展示した場合は、それらの鉢が各々の前傾によって不揃いになり易く、全体が統一感のない展示となっていた。
【０００８】
また、図９に示すように、支持体Ｓが、頭部が壁面より前後に出張っている笠木構造の場合には、この支持体Ｓの上面の幅に適合したフック１を使用するとしても、支持体Ｓの前面側でその笠木部分と下方の壁面との間に一定の間隔Ｔがあるため、フック１の下端に鉢２を吊り下げたとき、鉢２は、支持体Ｓの前面Ｓｂに当接する位置まで前傾する。その結果、図８の場合と同様の問題が生ずる。これを回避しようとすれば、鉢２の背面側下部と支持体Ｓの前面下部との隙間に当て木Ａを添える等の作業が必要となり、結局、このような笠木構造の支持体Ｓに鉢２を掛け止めすることは僅少であった。
【０００９】
【課題を解決するための手段】
本発明は、背面側に吊下げ孔を有する鉢をブロック塀等の支持体に係止して支持するための概略逆Ｌ字形の鉢受けフックであって、支持体の上面に係止されたとき逆Ｌ字形状の前角部から後方に延びる掛止部と、前角部から下方に延びる保持部と、この保持部の下端に形成され、鉢の吊下げ孔に挿通して鉢を保持する保持片とを備え、上記掛止部の後端に支持体の上面に係止可能な係止爪を有することを特徴とする。
【００１０】
本発明の実施態様では、係止爪は、その先端が斜面、円錐形又は扁平な端面として形成され、或いは、掛止部の後端を覆う弾性材で形成される。また、保持部の下部を後方に屈曲形成することで、前述の笠木構造の支持体に適合したものとなる。
【００１１】
【作用及び効果】
本発明の鉢受けフックは、支持体の前面側から、掛止部の後端に設けた係止爪を支持体の上面に係止することで支持体に掛け止めされる。その係止爪は、モルタルやレンガ面或いはタイルの目地等、種々の支持体に対して良く引っ掛かるので、フックの下端に鉢を吊り下げたとき、鉢の重さでフックが前方に移動するということがなくなる。その使用時には、保持部を支持体の前面に当接させた状態で係止爪を支持体の上面に係止させるだけで、従来のように鉢が前下がりに傾いた状態となるのを防ぎ、鉢を水平に吊下げ保持することができる。
【００１２】
また、支持体の上面に係止爪を係止するために掛止部の長さが支持体の厚さよりも短いフックであればよいので、従来のように掛止部の長さが支持体の厚みに限定されず、汎用性の高いフックが得られる。
【００１３】
本発明の実施態様によれば、係止爪の先端を斜面或いは円錐形とすることで、フックの下端に吊り下げた鉢の重量が係止爪の先端に集中するので、係止爪の先端が支持体の上面に食込み、鉢受けフックの掛止め力が更に向上する。
【００１４】
一方、係止爪の先端を扁平な端面にすると、支持体の上面に対する係止爪の接触面積が増加するので、係止爪の先端が接触する上面の摩擦係数が相対的に大きい材料で作られている、タイルの目地等の凹部を有する支持体に対して、係止爪の先端を扁平な端面とすることが有用である。
【００１５】
また、係止爪を掛止部の後端を覆う弾性材で形成した場合は、掛止部の後端が保護されることに加えて、たとえ支持体の上面が平滑であっても、係止爪は支持体の上面に確実に係止される。従って、鉢受けフックは鉢をより安定して保持することができる。
【００１６】
更に、鉢受けフックの保持部を後方に屈曲形成することにより、笠木構造の支持体に対しても、鉢を水平に吊下げ保持できる。
【００１７】
フェンスでは前傾してしまう鉢であっても、鉢の背面上部が係止爪の方向に引き戻されるため、鉢の前傾が阻止され、鉢を水平に吊り下げることができる。
【００１８】
上記のように構成された本発明の鉢受けフックによれば、釘やボルト等をコンクリートやブロック等に打ち込んだり、従来のコ字状のフックのように掛止部の長さを支持体の厚みに合わせて調整したりする必要がなく、当該鉢受けフックを支持体の前面に当接した状態で掛止部を支持体の上に置くだけで、鉢を水平に安定して保持できる。
【００１９】
また、吊下げ孔が２以上ある鉢に対しても、各孔にそれぞれの保持片を通した２以上の鉢受けフックを支持体の上に置くだけでよく、従来のように２以上の吊下げ孔の位置やサイズに拘束されることなく、そのような鉢を水平に吊り下げ安定して保持できる。なお、門柱に鉢を吊り下げる場合も同様の効果が得られる。
【００２０】
また、厚さの異なる支持体に対しても、同じ鉢受けフックで対応できるため、品数が少なくてすみ、製造や物流面のコスト削減となり、商品としての鉢受けフックを格納する場所の面積も少なくすむ。
【００２１】
また、外壁面での展示としては、従来フェンスの使用が殆どであり、フェンスの間から背景物も同時に視野に入るため、鉢植えの花その他の植物を充分に印象づけることが困難であったが、本発明の鉢受けフックを用いれば、ブロック塀に対して、鉢の周りが同一のため、額に入った絵と同様に主役の花を強調することができる。
【００２２】
更に、複数の鉢を吊り下げる場合、長さの異なる鉢受けフックを用いることにより、支持体を大きなキャンバスに見立ててデッサン感覚で花鉢の配置をアレンジして美観を創造できる。
【００２３】
更に、本発明の鉢受けフックを用いることにより、鉢が水平に保持されるので、水や肥料や土等の流失がなく床を汚さず、且つ給水が短時間で可能となり、また、複数の鉢を展示した場合にも姿勢が良く全体に統一感があり、美観が向上する等の効果を奏する。
【００２４】
【発明の実施の形態】
図１は、第１実施例の鉢受けフックを支持体に掛け止めして鉢を展示した状態を示す斜視図である。また、図２は、同じ鉢受けフックを支持体の上面に係止した状態を示す側面図である。
【００２５】
第１実施例の鉢受けフック１０は、逆Ｌ字形状の前角部１４から後方に延びた掛止部１５と、その前角部１４から下方に延びた直線状の保持部１６と、保持部１６の下端１７を略Ｖ字状に屈曲して形成された保持片１８とで構成され、この保持片１８を吊下げ孔３に挿通して鉢２を吊下げ支持している。
【００２６】
この鉢受けフック１０は、金属製の棒材から形成される。図１に示す使用状態で支持体Ｓの上面Ｓａに沿って後方に延びる掛止部１５の後端は、支持体Ｓの上面Ｓａに係止可能な係止爪１３となっており、この係止爪１３は、先端を鋭角に切った斜面として形成されている。前角部１４から下方に延びる直線状の保持部１６の下端１７には、前方に向けて屈曲する保持片１８が形成されている。
【００２７】
この鉢受けフック１０をブロック塀や門柱等の支持体Ｓに係止する場合は、図３に示すように、保持片１８で鉢２を吊り下げながら保持部１６を支持体Ｓの前面Ｓｂに押し当てるようにして、係止爪１３を支持体Ｓの上面Ｓａに係止させる。このとき、吊下げ孔３に挿通した保持片１８で吊下げられた鉢２は、その下端にて支持体Ｓの前面Ｓｂに当接し、前傾しようとするが、係止爪１３が支持体Ｓの上面Ｓａ上で鉢２の全重量を受けて固定されることにより、鉢２の前傾が阻止され、鉢２は水平に保持される。
【００２８】
次に、図４は別の実施例を示す。
【００２９】
（ａ）に示す鉢受けフック２０は、概略逆Ｌ字形の前角部２４から延びた掛止部２５の後端が支持体Ｓの上面Ｓａに向けて屈曲し、中心が尖って円錐形に形成された係止爪２３を有する。この鉢受けフック２０の前角部２４から下方に延びた保持部２６と、その下端部を略Ｖ字状に屈曲して形成された保持片２８は、図１の実施例と同様である。
【００３０】
（ｂ）の鉢受けフック３０は、その前角部３４から延びた掛止部３５の後端が支持体Ｓの上面Ｓａに向けて屈曲し、先端が扁平な面として形成された係止爪３３を有する。このような扁平な端面でも、タイル張りの目地等の凹部を有する支持体Ｓにおいては、係止爪３３の先端部が当該凹部に入り込んで係止爪の移動を阻止するので、有用である。この鉢受けフック３０の前角部３４から下方に延びた保持部３６と、その下端部を略Ｖ字状に屈曲して形成された保持片３８も、図１の実施例と同様である。
【００３１】
（ｃ）の鉢受けフック４０は、その前角部４４から延びた掛止部４５の後端が支持体Ｓの上面Ｓａに向けて屈曲し、先端部に摩擦係数の大きいゴム等の弾性材からなるキャップを装着して形成された係止爪４３を有する。この場合、掛止部４５の後端が金属棒の切断により人を傷つける形状のままであっても、これを弾性材で覆うことで、人を傷つける恐れをなくしている。また、支持体Ｓの上面Ｓａが平滑な面であっても、係止爪４３は支持体Ｓの上面Ｓａに確実に係止される。この鉢受けフック４０の前角部４４から下方に延びた保持部４６と、その下端を略Ｖ字状に屈曲して形成された保持片４８も、図１の実施例と同様である。
【００３２】
図５は、他の実施例として、笠木構造の支持体に適合した鉢受けフックを示す。この鉢受けフック５０は、図１の実施例と同様に、使用状態で逆Ｌ字形状の前角部５４から後方に延びた掛止部５５の後端に、支持体Ｓの上面Ｓａに係止可能な係止爪５３を有し、この係止爪５３も先端を鋭角に切った斜面として形成されている。一方、前角部５４から下方に延びた保持部５６は、笠木を形成した支持体Ｓに適応するため、その笠木部分の下に凹部５９を形成するように略「５」字状に屈曲している。この保持部５６の下端５７から略Ｖ字状に屈曲した保持片５８が形成され、これを鉢２の吊下げ孔３に挿通して鉢２を吊下げ支持する。
【００３３】
この実施例では、保持部５６を上記のように形成したことで、保持片５８で吊下げられた鉢２の下端が支持体Ｓの前面Ｓｂに当接すると共に、保持部５６の屈曲部分も支持体Ｓの前面Ｓｂに当接する。これにより、鉢２は前傾を阻止して水平に保持される。
【００３４】
図６は、更に他の実施例を示す。この鉢受けフック６０も、笠木構造の支持体に適合するものであり、逆Ｌ字形の前角部６４から後方に延びた掛止部７５の後端に、支持体Ｓの上面Ｓａに係止可能な係止爪６３を有し、この係止爪６３も先端を鋭角に切った斜面として形成されている。
【００３５】
しかしながら、この実施例では、支持体Ｓの笠木部分の下側に入る背面部分の周囲に鍔２ａを有する鉢２を水平に保持するため、前角部６４から下方に延びた保持部６６の下部は、略「く」字形に屈曲し、傾斜する上下の保持片６７，６８を形成している。鉢２を吊り下げるときは、図示のように下方の保持片６８を鉢２の前面側から吊下げ孔３に入れて背面側に位置させることにより、上方の保持片６７が吊下げ孔３の上縁に当って鉢２の上端部分を支持体Ｓの前面Ｓｂ側に引き寄せる。一方、下方の保持片６８は、その下端で鉢２の吊下げ孔３の下部を前方（図６において左方向）に押す。
【００３６】
この実施例では、上記のように形成した保持部６６の下部の保持片６７で鉢２を吊り下げたとき、鉢２の背面側の上鍔２ａが支持体Ｓの前面Ｓｂに当接し、かつ重力により鉢２は前傾しようとするため、下鍔２ａも支持体Ｓの前面Ｓｂに当接する。これらの作用により、鉢２は前傾を阻止されると共に下方の保持片６８が鍔２ａの内側に収納されているため、鉢２は完全に支持体Ｓの前面Ｓｂに密着する。これにより、鉢２は水平に保持される。
【００３７】
以上、実施例について説明したが、本発明は上記実施例に限らない。例えば、係止爪の先端形状は、鉢を吊り下げたとき、その重量がフックに加えられて支持体の上面に集中荷重を作用させるものであればよく、上記以外の適宜の形状を採用できる。
【図面の簡単な説明】
【図１】第１実施例の鉢受けフックを支持体に掛け止めして鉢を吊下げ保持した状態を示す斜視図である。
【図２】図１の鉢受けフックの側面図である。
【図３】図１の鉢受けフックを支持体に掛け止めした状態の縦断面図である。
【図４】（ａ），（ｂ），（ｃ）はそれぞれ別の実施例を示す側面図である。
【図５】他の実施例の使用状態を示す断面図である。
【図６】更に他の実施例の使用状態を示す断面図である。
【図７】従来のフックを支持体に掛け止めして鉢を支持した状態を示す斜視図である。
【図８】掛止部の長さが支持体の厚さより大きいフックを当該支持体に掛け止めして鉢を吊り下げた状態を示す断面図である。
【図９】従来のフックを笠木構造の支持体に掛け止めして鉢を支持した状態を示す断面図である。
【符号の説明】
１…従来のフック、２…鉢、３…吊下げ孔、１０，２０，３０，４０，５０，６０…鉢受けフック、１３，２３，３３，４３，５３，６３…係止爪、４，１４，２４，３４，４４，５４，６４…前角部、５，１５，２５，３５，４５，５５，６５…掛止部、６，１６，２６，３６，４６，５６，６６…保持部、７，１７，５７…下端、８，１８，２８，３８，４８，５８，６８…保持片、Ｓ…支持体、Ｓａ…上面、Ｓｂ…前面。
【図１】
2004097678.tif 000003
【図２】
2004097678.tif 000004
【図３】
2004097678.tif 000005
【図４】
2004097678.tif 000006
【図５】
2004097678.tif 000007
【図６】
2004097678.tif 000008
【図７】
2004097678.tif 000009
【図８】
2004097678.tif 000010
【図９】
2004097678.tif 000011